(57)【特許請求の範囲】
【請求項１】
自動車洗浄システムのためのロータリ洗浄ブラシ組み立て品であって、
中心軸（３）と、
長尺なバンド状の複数のプレート胴体（２）とを備え、
前記プレート胴体（２）がその長手方向の中央で２つ折りされることにより、互いに隣接する２つのフラップ（６，７）が形成され、
前記フラップ（６，７）は、長手方向における折り目と反対側の端部に、縦長の３角形状の切り欠き（５）と縦長３角形状の帯片（４）とを交互に有し、
各前記プレート胴体（２）は、折り目部分で前記中心軸（３）に取り付けられ、前記中心軸（３）の周方向に沿って並ぶように配置されており、これにより、各前記フラップ（６，７）は、前記中心軸（３）から放射状に突出した状態となっていることを特徴とする、ロータリ洗浄ブラシ組み立て品。
【請求項２】
前記プレート胴体（２）は、独立気泡プラスチック材料、フェルト、布、または、不織布で作られていることを特徴とする、請求項１に記載のロータリ洗浄ブラシ組み立て品。
【請求項３】
前記プレート胴体（２）は、独立気泡または連続気泡の柔軟な発泡材料、発泡ポリエチレン材料、ＥＶＡ、布材料、織布材料、および、不織布材料からなる群のいずれか１つの材料、または、任意の組み合わせの材料で作られていることを特徴とする、請求項１に記載のロータリ洗浄ブラシ組み立て品。
【請求項４】
前記中心軸（３）の周方向に沿って並ぶように配置された複数の前記プレート胴体（２）を１組としたとき、複数の組が、前記中心軸（３）の軸方向に沿って並ぶように配置され、
前記複数の組は、前記軸方向に沿って、下部（１１）、中間部（１２）、および上部（１３）の３つのグループに分けられ、
前記下部（１１）では、前記フラップ（６，７）内で前記帯片（４）同士がほぼ同じ長さとなり、前記フラップ（６，７）同士も互いに同じ長さとなるように、前記プレート胴体（２，２１）が構成され、これにより、強力な洗浄力が実現され、
前記中間部（１２）では、前記フラップ（６，７）内で前記帯片（４）同士が互いに異なる長さとなり、前記フラップ（６，７）同士も互いに異なる長さとなるように、前記プレート胴体（２，２２）が構成され、これにより、繊細な洗浄作業が実現され、
前記上部（１３）では、前記フラップ（６，７）内で前記帯片（４）同士が互いに異なる長さとなるものの、前記フラップ（６，７）同士が互いに同じ長さとなるように、前記プレート胴体（２，２３）が構成され、これにより、中間の力の洗浄力が実現されていることを特徴とする、請求項１から３のいずれか１項に記載のロータリ洗浄ブラシ組み立て品。
【請求項５】
前記中心軸（３）を水平に配置し、前記中心軸（３）の周方向に沿って並ぶように配置された複数の前記プレート胴体（２）を１組としたとき、複数の組が、前記中心軸（３）の軸方向に沿って並ぶように複数配置され、
前記複数の組は、２個のバンド要素（２４，２４）によって水平方向に挟まれて固定されており、各前記組は、互いに同じ長さである２つの前記フラップ（６，７）を有する前記プレート胴体（２，２１）、および、２つの前記フラップ（６，７）のうち一方のみを有する前記プレート胴体（２，２１）が混在して構成され、これにより、繊細な洗浄作業が実現されていることを特徴とする、請求項１から３のいずれか１項に記載のロータリ洗浄ブラシ組み立て品。
【請求項６】
前記下部（１１）は、１組当たり、１８個のプレート胴体（２１）を有していることを特徴とする、請求項４に記載のロータリ洗浄ブラシ組み立て品。
【請求項７】
前記中間部（１２）は、１組当たり、１２個のプレート胴体（２２）を有していることを特徴とする、請求項４に記載のロータリ洗浄ブラシ組み立て品。
【請求項８】
前記上部（１３）は、１組当たり、１２個のプレート胴体（２３）を有していることを特徴とする、請求項４に記載のロータリ洗浄ブラシ組み立て品。
【請求項９】
前記中心軸（３）は、複数の挿入要素（８）が挿入されるプラスチック材料要素（３’）を有し、
前記プレート胴体（２）は、中央で折り曲げられた状態で、折り曲げられている部分を前記挿入要素（８）と前記プラスチック材料要素（３’）とに保持されることにより、前記中心軸（３）に支持されていることを特徴とする、請求項１に記載のロータリ洗浄ブラシ組み立て品。
【請求項１０】
前記プレート胴体（２）は、互いに端部が重なって接続された２つのフラグ（４４，４５）からなる構造を有している、ことを特徴とする、請求項１に記載のロータリ洗浄ブラシ組み立て品。
【請求項１１】
前記フラグ（４４，４５）からなる前記プレート胴体（２）は、前記中心軸（３）のプラスチック材料からなる軸（４２）に、熱溶接プラグ要素によって保持されていることを特徴とする、請求項１０に記載のロータリ洗浄ブラシ組み立て品。
【請求項１２】
２つの前記フラグ（４４，４５）は、互いに重ね合わされて接続される部分に、前記中心軸（３）に取り付ける際に使用される固定穴（４６，４６）を有し、前記固定穴（４６，４６）も互いに重なっていることを特徴とする、請求項１０または１１に記載のロータリ洗浄ブラシ組み立て品。
【請求項１３】
前記フラグ（４４，４５）からなる前記プレート胴体（２）は、前記フラグ（４４，４５）同士が重なり合った部分で折り曲げられて、前記中心軸（３）に取り付けられていることを特徴とする、請求項１０〜１２のいずれか１項に記載のロータリ洗浄ブラシ組み立て品。
【発明の詳細な説明】
【技術分野】
【０００１】
本発明は、自動車洗浄システム用ロータリブラシに関する。
【背景技術】
【０００２】
公知のように、自動自動車洗浄システムは、従来、通常円柱状の配置であって、ロータリ駆動部材に結合しているブラシ組み立て品支持部を一般に有している複数のロータリ洗浄ブラシ組み立て品を有している。
【０００３】
支持部の外側表面状には、互いに隣接している関係で配置されて、その端部で支持部に垂直な関係で結合されている複数の柔軟な清浄要素が通常取り付けられている。
【０００４】
たとえば自動車のボディ用の自動清浄および洗浄は、複数の前述の洗浄ブラシ組み立て品を回転駆動して、ロータリブラシ組み立て品によって発生する遠心力によって予め設定されている配置で保持されている柔軟な要素で、洗浄水及び／または洗浄水溶液つまり乳状液を通して自動車ボディに衝撃を与えさせることによって達成される。
【０００５】
従来の洗浄ブラシは、フェルト材料、合成材料の毛の配置、合成発泡材料の糸、または異なる清浄材料の組み合わせなどから一般的になる複数のフラップつまり帯及びバンド要素を通常有している。
【０００６】
（特許文献１）は、請求項１の前提部分を実質的に開示している。
【先行技術文献】
【特許文献】
【０００７】
【特許文献１】米国特許出願公開第２０１０／０５８５４９号明細書
【発明の概要】
【発明が解決しようとする課題】
【０００８】
本発明の狙いは、バンド要素の端部の位置の重量を従来の洗浄ブラシ組み立て品よりもはるかに軽くするテーパー状の房を有している改良された洗浄ロータリブラシ組み立て品を提供することである。
【０００９】
前述の狙いの範囲内で、本発明の主な目的は、より柔らかくより繊細な接触タッチを備えることによって、非常に大きな洗浄力を洗浄される任意の表面に作用させながら自動車ボディが損傷しないようにし、また、自動車の洗浄作業全体で発生する騒音を減少させるような改良された洗浄ロータリブラシ組み立て品を提供することである。
【００１０】
本発明の他の目的は、良好な美的な構成を有しており、ユーザの要件に依存して複数の異なる作業構成でも使用可能な洗浄ブラシ組み立て品を提供することである。
【００１１】
本発明のまた他の目的は、特別に構成されている作業特徴のおかげで動作時に非常に信頼性が高く安全な自動車洗浄ブラシ組み立て品を提供することである。
【課題を解決するための手段】
【００１２】
本発明の一態様によれば、前述の狙い及び目的及び以降でより明らかになるであろう他の目的は、請求項１に記載の自動車洗浄システム用ロータリ洗浄ブラシ組み立て品によって達成される。
【００１３】
本発明のさらなる特徴及び利点は、添付の図面において、明示のための、しかし非限定的な例として図示されている本発明の好ましい、しかし排他的ではない実施形態の以下の詳細な開示から以降でより明らかになるであろう。
【図面の簡単な説明】
【００１４】
【図１】図１は本発明の改良されている自動車洗浄ブラシ組み立て品の前部立面図である。
【図２】図２は本発明の垂直軸構成を有している複数の洗浄ブラシ組み立て品の組つまりバンクの側部面図である。
【図３】図３は図２の断面ＩＩＩに沿ったさらなる前部断面図である。
【図４】図４は図２の断面ＩＶに沿ったさらなる前部断面図である。
【図５】図５は図２の断面Ｖに沿ったまた他の前部断面図である。
【図６】図６は、本発明の実質的に水平な軸構成を有している洗浄ブラシ組み立て品の組のまた他の側部断面図である。
【図７】図７は、第１の一連の３個のバンドである。
【図８】図８は、第２の一連の３個のバンドである。
【図９】図９は、バンドの中心コア要素への接続を示している斜視図である。
【図１０】図１０は、図９の分解構成状態にある図９と同様な図である。
【図１１】図１１は、コレット配置を実現しており、交差して強度の高いカップ要素を実現するようになっている中間のバンドを備えているテーパー状の毛を有しており、ブラシシステムの底部の位置で交差しているフラグつまりバンド要素によって構成されている構造を有している洗浄ブラシ組み立て品を示している。
【図１２】図１２は、分解状態で示している半分のバンドつまり半分のフラグを示している。
【図１３】図１３は、部分的に重なっており、また穴が互いに重なるように配置されている関係の半分のフラグを示している。
【図１４】図１４は、９０度の角度で曲げられており、他方の端部を囲んでいる、２個の半分のフラグを示している。
【図１５】図１５は、一方の端部を囲みながら、一方が他方に重なるように互いに結合されている２個の半分のフラグを示している。
【図１６】図１６は、２個の半分のフラグの一方が他方の端部を部分的に覆うように曲げられている図２の半分のフラグを示している。
【図１７】図１７は、互いに適切に対応しており、長さ方向の延びに対して交差する方向について曲げる作業において重なる複数の対応している穴を有している２個の半分のフラグを示している。
【図１８】図１８は、図１７と同様に２個の半分のフラグを示しており、特に互いに対応するように配置されており、プラスチック材料の軸内のブロックの位置で係合している２個の型抜きされているフラグ要素を示しており、ブロックはコレットを形成している毛の底部の位置で小さな構造的な補強カップを実現するように保持されている詳細図である。
【発明を実施するための形態】
【００１５】
前述の図の参照番号を参照すると、全体が参照番号１で示されている本発明の改良されているロータリブラシ組み立て品は、各々が洗浄組み立て品中心軸３に取り付けられているプレート状の胴体からなる複数の清浄要素２を有している。
【００１６】
より具体的には、プレート胴体２は、独立気泡または連続気泡のプラスチック材料、フェルト、布、または他の適切な材料で作られていることが有利かもしれない。
【００１７】
プレート胴体は、発泡ポリエチレン、ＥＶＡ材料、独立気泡または連続気泡の柔軟な材料、布、不織材料、または結合材料の任意の望ましい組み合わせで作られていることが好ましい。
【００１８】
プレート胴体２は、バンドの長さ方向の軸線に沿って延びている実質的に長い構成であって、傾斜加工されているか傾斜加工されていないかのいずれかの角の部分を備えている３角形の構成またはほぼ３角形構成を有している複数の実質的にテーパー状の帯４を定めている複数の切り欠き５を有している。
【００１９】
プレート胴体２は、使用状態では、図９及び１０の参照番号６及び７で示している２個の部分を実現するように交差方向の軸線について１８０°曲げられて、互いに隣接している関係で配置されていてもよく、清浄要素プレートボディ２は洗浄ブラシ組み立て品の中心軸３に取り付けられている。
【００２０】
その代わりに、プレートボディ２は、使用状態では、長さ方向の軸線に沿ってそれ自体に上に曲げられ、それからその交差方向の軸線について１８０°曲げられて、互いに隣接している関係で配置されている２個のカップ部分を実現してもよく、清浄要素は洗浄ブラシ組み立て品の中心軸に取り付けられている。
【００２１】
プレート胴体は、約１８０°の曲げ角度で曲げられているだけでもよい。
【００２２】
図８に示している中心の清浄要素において、一方の部分は、どのような帯５も有していない。
【００２３】
本発明によれば、洗浄ブラシ組み立て品は、その意図した用途に依存した構成を有している。
【００２４】
図２から５に示している例示的な実施形態では、垂直な軸配置の洗浄ブラシ組み立て品の組１０は、下部１１、中心部つまり中間部１２、および上部１３の３個の主な部分を有していることが好ましい。
【００２５】
下部１１は、より強力な洗浄効果を実現するように構成されており、この例示的な実施形態において、図７において参照番号２１で示しており実質的に同じ長さの複数の帯４を有している種類の１８個の曲げ要素からなる下部１１は１０個の洗浄ブラシ組み立て品を有している。
【００２６】
中心部つまり中間部１２は、繊細な洗浄を実現し、この例示的な実施形態においては、長さの短い、つまり互いにずれている位置に配置されている帯４を有している図７において参照番号２２で示している種類の１２個のバンドからなる４個の洗浄ブラシ組み立て品を有している。
【００２７】
上部１３は、中間の力での洗浄動作を実現し、この例示的な実施形態においては、図７において参照番号２３で示している種類であて、長さの異なる複数の帯４を有している１２個のバンドからなる７個の洗浄ブラシ組み立て品を有している。
【００２８】
図６に示している例示的な実施形態において、全体が参照番号３０で示されている水平の軸構成の洗浄ブラシの組は、手作業で切断されている貫通している２個のバンド２４によって対向している側部で閉じられている単一の中心つまり中間胴体３１を有している。
【００２９】
中心つまり中間胴体３１は、繊細な洗浄動作を実現し、この例においては、長さの短い、つまり互いにずれている位置に配置されている帯４を有している図８に示している種類の１２個のバンドによって構成されている１９個の洗浄ブラシ組み立て品を有している。
【００３０】
洗浄ブラシ組み立て品は、中心軸３によって支持されている複数のプラスチック材料の要素３’が取り付けられており、長さ方向の軸線を中心に重なるように曲げられ、それから交差方向の軸線を中心に１８０°の角度で曲げられている２つの部分６及び７を実現するように交差方向の軸線を中心に１８０°の角度で曲げられているプレート胴体２の曲げられているフラップ６及び７を保持している複数の挿入要素８を有している中心軸３も有している。
【００３１】
この洗浄ブラシ組み立て品は、互いに重ねられている半分のフラグからまず作られ、それによって、洗浄ブラシ組み立て品の内側の内部の構造リブを実現して、組み立て品の動作状態及び休止状態の両方で強度及び剛性を改善する。
【００３２】
このように配置されているフラグ要素は、プラスチック材料のスタブ軸要素内に配置され、熱溶接されているプラグによって保持され、それによって各々が補強コレットを有している直径が異なる複数の洗浄ブラシ組み立て品を素早く容易に作れるようにしている。
【００３３】
より具体的には、毛の底部のコレットつまりカラーは、非常に柔らかい房と組み合わされている強化されているカップを実現することによって、自動車ボディへの発生し得る損傷を防止しながら、ブラシ組み立て品を動作させている電気モータの駆動電流が適切に調整されてもよい。
【００３４】
また、洗浄ブラシ組み立て品の中心の剛性が向上したことによって、各ブラシ組み立て品の洗浄力が向上するが、それは、ブラシ組み立て品の梱包及び輸送作業も促進しながら、ブラシ組み立て品が常にまっすぐで、「ふくらんでいる」状態に維持されているからである。
【００３５】
図１１から１８は、２個の型抜きされており、大きさ及び形状が同じで、保持穴つまり固定穴４６も重なるように重ねられている半分のフラグ要素４４及び４５からなるロータリブラシ組み立て品４１を示している。
【００３６】
より具体的には、半分のフラグ４４及び４５は両方が長さ方向の軸線に沿って半分に９０°の角度で曲げられ（図１４）、それから保持穴を通る交差方向の軸線に沿って９０°さらに曲げられる（図１５及び１６を参照）。
【００３７】
このようにして作られたフラグ４４及び４５のブロック４３を、プラスチック材料の軸４２と係合させ、それからフラグブロック４３は容易に素早く動作ユニットとして固定される。
【００３８】
したがって、小さいカップ構造補強要素４８が、毛の底部の位置に実現され、このカップ要素を、補強コレットと呼び、動作させてもよい。
【００３９】
本発明の洗浄ブラシ組み立て品４１は、ブラシ組み立て品の内側の構造リブを実現して、ブラシ組み立て品全体の強度を動作状態及び休止状態の両補で増す、互いに重なっている半分のフラグ４４及び４５から作られてもよい。
【００４０】
このようにして作られたフラグ４４及び４５は、プラスチック材料の軸４２に取り付けられ、適切な熱溶接保持プラグを介して軸４２に保持される。
【００４１】
したがって、洗浄ブラシ組み立て品４１は、ふくらんでまっすぐな状態に常に保持され、改善された洗浄方向及び適切な美的特徴を実現する。
【００４２】
実施にあたっては、半分のフラグ４４及び４５によって、各々が補強コレット４８配置を有しているさまざまな直径の多数の洗浄ブラシ組み立て品４１を素早く容易に作ることができる。
【００４３】
より具体的には、洗浄ブラシの毛の基部つまり下部の位置のコレット要素４８は、非常に柔らかい房を実現しながら、カップの強度を改善し、それによって、洗浄ブラシ組み立て品４１が自動車ボディを傷つけないようにしながら、洗浄ブラシ組み立て品を駆動する電気モータの電流を完璧に調整することができる。
【００４４】
さらに、各個別の洗浄ブラシ組み立て品４１の改善されている中心の剛性によって、前述のように、梱包及び輸送の配置を容易にしながら、洗浄ブラシ組み立て品４１を常にまっすぐでふくらんだ状態に保持することによって、洗浄力が向上する。
【００４５】
本発明は、意図した狙い及び目的を完全に達成していることがわかった。
【００４６】
実際に、本発明のロータリブラシ組み立て品４１は、変わることのない高い洗浄力を維持しながら、非常に繊細な洗浄作業及び乗り物ボディを発生し得る傷や損傷から保護するより柔らかいタッチを実現する。
【００４７】
本発明は、従来の洗浄ブラシ組み立て品とは反対に、先端での洗浄動作を実現するだけではなく、房の中心の胴体によっても動作し、したがって接触表面が広がり、それに合わせて、改善された素早い洗浄動作が実現され、それが水及び動力の削減を可能にする。
【００４８】
また、洗浄動作時に基本的に平面内に配置されている動作の先端接触モードで動作する従来の洗浄ブラシ組み立て品は、自動車ボディに接触すると開いて変形しがちであって、そのようなことは、対応する補強カップを有し、しっかりと軸４２に接合されている洗浄バンドの３次元配置のおかげで、本発明では発生しない。
【００４９】
また、本発明の洗浄ブラシ組み立て品４１によって、どのようなユーザ要件に対してもカスタマイズされた洗浄ブラシの組を容易に素早く作ることができる。
【００５０】
本発明を実施する場合、要件によって任意の材料及び大きさを使用してもよい。
【図１】
0006631807.tif 000002
【図２】
0006631807.tif 000003
【図３】
0006631807.tif 000004
【図４】
0006631807.tif 000005
【図５】
0006631807.tif 000006
【図６】
0006631807.tif 000007
【図７】
0006631807.tif 000008
【図８】
0006631807.tif 000009
【図９】
0006631807.tif 000010
【図１０】
0006631807.tif 000011
【図１１】
0006631807.tif 000012
【図１２】
0006631807.tif 000013
【図１３】
0006631807.tif 000014
【図１４】
0006631807.tif 000015
【図１５】
0006631807.tif 000016
【図１６】
0006631807.tif 000017
【図１７】
0006631807.tif 000018
【図１８】
0006631807.tif 000019